(57)【要約】【課題】アンテナとチューナ部との引き回しによる伝送損失、あるいはチューナ部と復調部との引き回しによる伝送損失を小さくする。【解決手段】テレビ信号を受信できるアンテナ３９が接続されるとともに希望信号を選択するチューナ部４３と、このチューナ部４３からの出力信号を復調する復調部４５を一体化する第１のチューナモジュール４６を設け、少なくとも、テレビ信号を受信できるアンテナ５３が接続されるとともに希望信号を選択するチューナ部５７と、このチューナ部５７からの出力信号を復調する復調部５９を一体化する第２のチューナモジュール６０を設け、チューナ部４３、５７をアンテナ３９、５３にそれぞれ近接して配置する。【選択図】図１
2010278940.tif 000002
【特許請求の範囲】
【請求項１】
テレビ信号を受信できる第１、第２のアンテナが接続される第１、第２の入力端子と、前記第１、第２の入力端子がそれぞれ接続されるとともに希望信号を選択する第１、第２のチューナ部と、前記第１、第２のチューナ部の出力信号を復調する第１、第２の復調部と、前記第１、第２の復調部の出力信号がそれぞれ接続されるとともにダイバシティ受信とシングル受信に応じて信号処理を行う第１、第２のダイバシティ部と、前記第１、第２のダイバシティ部の出力がそれぞれ接続されるとともに誤り訂正を行う第１、第２の誤り訂正部と、前記第１、第２の誤り訂正部の出力が接続される第１、第２の出力端子を備え、少なくとも、前記第１のチューナ部と、前記第１の復調部を一体化する第１のチューナモジュールを設け、少なくとも、前記第２のチューナ部と、前記第２の復調部を一体化する第２のチューナモジュールを設け、前記第１、第２のチューナ部を前記第１、第２のアンテナにそれぞれ近接して配置する高周波受信部。
【請求項２】
少なくとも、前記第１のチューナ部と、前記第１の復調部と、前記第１のダイバシティ部を一体化する第１の高周波受信部を設け、少なくとも、前記第２のチューナ部と、前記第２の復調部と、前記第２のダイバシティ部を一体化する第２の高周波受信部を設け、前記第１のダイバシティ部は、前記第１の復調部から入力される第１のサブキャリアの品質を検出するサブキャリア検出器と、前記サブキャリア検出器の検出信号に基づいて前記第２のダイバシティ部から出力されるサブキャリア信号を合成するサブキャリア合成器を設ける請求項１に記載の高周波受信部。
【請求項３】
少なくとも、前記第１のチューナ部の主要部、前記第１の復調部の主要部が集積化されるとともに、少なくとも、前記第２のチューナ部の主要部、前記第２の復調部の主要部が集積化される請求項１に記載の高周波受信部。
【請求項４】
請求項１に記載の高周波受信部が搭載される携帯用機器であって、前記第１、第２のアンテナは、前記携帯用機器を構成するケースの長手方向の端部に互いに離して配置され、前記第１、第２のアンテナの給電点にそれぞれ近接して前記第１、第２のチューナ部の第１、第２の入力端子が配置される携帯用機器。
【請求項５】
前記携帯用機器の携帯電話用アンテナは、前記第２のアンテナを近接して設ける請求項４に記載の携帯用機器。
【発明の詳細な説明】
【技術分野】
【０００１】
本発明は、ダイバシティ受信を可能とする高周波受信部およびこれを用いた携帯用機器に関するものである。
【背景技術】
【０００２】
以下、従来の高周波受信装置１について図３を用いて説明する。図３において、高周波受信装置１は、アンテナ３、４にそれぞれ接続されるチューナ部５、７と、このチューナ部５、７の出力がそれぞれ接続された復調部８、１３と、この復調部８、１３の出力がそれぞれ接続されるダイバシティ部９と、このダイバシティ部９の出力がそれぞれ接続される誤り訂正部１１、１３と、この誤り訂正部１１、１３の出力が接続される出力端子１５、１７とから構成されている。
【０００３】
また、復調信号処理部１９は、復調部８、１３と、ダイバシティ部９と、誤り訂正部１１、１３から構成されている。
【０００４】
以上のように構成された高周波受信装置１について、以下にその動作を説明する。アンテナ３、４から入力されるテレビ放送信号は、それぞれのチューナ部５、７に供給されて、一定の信号レベルに制御されるとともにあらかじめ決められた周波数に変換される。これら変換された信号は、それぞれ復調部８、１３に入力されて復調される。これら復調部８、１３から出力されるそれぞれの復調信号は、ダイバシティ部９へ別々に入力される。
【０００５】
このダイバシティ部９では、デジタル信号を構成するサブキャリア信号が検出され、このサブキャリア検出信号がダイバシティ制御部２１に供給される。このダイバシティ制御部２１は、サブキャリア検出信号が良好な場合には、一方のチューナ部５、７のうちいずれか一方を動作状態としてシングル受信とし、サブキャリア検出信号が悪い場合には、チューナ部５、７の両方が動作状態とされてダイバシティ受信とされる。これにより、受信品質が確保される。
【０００６】
なお、この出願の発明に関連する先行技術文献情報としては、例えば、特許文献１が知られている。
【先行技術文献】
【特許文献】
【０００７】
【特許文献１】特開２００１−１５６７３８号公報
【発明の概要】
【発明が解決しようとする課題】
【０００８】
このような従来の高周波受信装置において、チューナ部５、７での周波数は、復調信号処理部１９の周波数に比べて、格段に高い。このため、チューナ部５、７では例えば処理速度の速いバイポーラプロセスを用い、復調信号処理部１９では消費電流の小さい例えばＣＭＯＳプロセスを用いた。
【０００９】
これらのアンテナ３、４と、チューナ部５、７と、復調信号処理部１９を小型化された携帯用機器に搭載する場合には、互いに離れて配置することが発生した。
【００１０】
例えば、アンテナ３とチューナ部５、およびアンテナ４とチューナ部７を近接して配置して引き回しによる伝送損失を小さくした場合には、チューナ部５と復調部８、あるいはチューナ部７と復調部１３との接続部が長くなって引き回しによる伝送損失が大きくなった。
【００１１】
また、チューナ部５、７から復調部８、１３には、例えば１セグメントで約５６０ＫＨｚの周波数の信号が伝達されるので、例えばクロック信号あるいはこの高調波信号が、チューナ部５と復調部８、あるいはチューナ部７と復調部１３との引き回し部に飛び込んで妨害となった。このため、受信品質の劣化が発生した。
【００１２】
そこで本発明は、このような問題を解決したもので、アンテナとチューナ部との引き回しによる伝送損失、およびチューナ部と復調部との引き回しによる伝送損失を小さくすることを目的としたものである。
【課題を解決するための手段】
【００１３】
この目的を達成するために本発明の高周波受信部は、少なくとも、第１のチューナ部と、第１の復調部を一体化する第１のチューナモジュールを設け、少なくとも、第２のチューナ部と、第２の復調部を一体化する第２のチューナモジュールを設け、前記第１、第２のチューナ部を第１、第２のアンテナにそれぞれ近接して配置する。
【００１４】
これにより、所期の目的を達成することができる。
【発明の効果】
【００１５】
以上のように、本発明の高周波受信部は、少なくとも、第１のチューナ部と、第１の復調部を一体化する第１のチューナモジュールを設け、少なくとも、第２のチューナ部と、第２の復調部を一体化する第２のチューナモジュールを設け、前記第１、第２のチューナ部を第１、第２のアンテナにそれぞれ近接して配置する。
【００１６】
これにより、アンテナとチューナ部との引き回しによる伝送損失、およびチューナ部と復調部との引き回しによる伝送損失を小さくできるので、受信品質の改善を行うことができる。
【図面の簡単な説明】
【００１７】
【図１】本発明の実施の形態１における高周波受信装置のブロック図
【図２】同、高周波受信装置を用いた携帯用機器の透視図
【図３】従来の高周波受信装置のブロック図
【発明を実施するための形態】
【００１８】
（実施の形態１）
図１は、本発明の実施の形態１における高周波受信装置３１のブロック図である。図１において、高周波受信装置３１は、第１の高周波受信部３３、第２の高周波受信部３５から構成されている。また、この高周波受信装置３１は、ダイバシティ制御部３７によりシングル受信、ダイバシティ受信の切替を行うことができる。
【００１９】
第１の高周波受信部３３には、アンテナ３９が入力端子４１を介して接続されるチューナ部４３と、このチューナ部４３の出力が接続される復調部４５と、この復調部４５の出力が接続されるダイバシティ部４７と、このダイバシティ部４７の出力が接続される誤り訂正部４９と、この誤り訂正部４９の出力が接続される出力端子５１が設けられている。
【００２０】
また、第２の高周波受信部３５には、アンテナ５３が入力端子５５を介して接続されるチューナ部５７と、このチューナ部５７の出力が接続される復調部５９と、この復調部５９の出力が接続されるダイバシティ部６１と、このダイバシティ部６１の出力が接続される誤り訂正部６３と、この誤り訂正部６３の出力が接続される出力端子６５が設けられている。
【００２１】
一方のチューナ部４３には、入力端子６７から出力端子６９に向かって順に、高周波増幅器７１、混合器７３、中間周波フィルタ７５が設けられている。この混合器７３の他方の入力には発振器７４の出力が接続されている。
【００２２】
また、復調部４５には、入力端子７９から出力端子８１に向かって順に、Ａ／Ｄコンバータ８３、復調器８５、ＦＦＴ（高速フーリエ変換）８７が設けられている。
【００２３】
さらに、ダイバシティ部４７には、入力端子８９が入力９３ａに接続されるとともに出力が出力端子９１に接続されるサブキャリア合成器９３と、入力端子８９が入力９５ｂに接続されるとともに出力９５ｄがサブキャリア合成器９３の入力９３ｂに接続されるサブキャリア検出器９５が設けられている。
【００２４】
また、誤り訂正部４９の他方の出力４９ａと出力端子９７との間には、ＢＥＲ判定器９９が設けられている。
【００２５】
他方のチューナ部５７には、入力端子１０１から出力端子１０３に向かって順に、高周波増幅器１０５、混合器１０７、中間周波フィルタ１０９が設けられている。この混合器１０７の他方の入力には発振器１０８の出力が接続されている。
【００２６】
また、復調部５９には、入力端子１１３から出力端子１１５に向かって順に、Ａ／Ｄコンバータ１１７、復調器１１９、ＦＦＴ１２１が設けられている。
【００２７】
さらに、ダイバシティ部６１には、入力端子１２３が入力１２７ａに接続されるとともに出力１２７ｂが出力端子１２５に接続されるサブキャリア選択器１２７が設けられている。
【００２８】
また、誤り訂正部６３の出力６３ａと出力端子１２９との間には、ＢＥＲ判定器１３１が設けられている。
【００２９】
さらに、入力端子１２３はサブキャリア検出器９５の入力９５ｃに接続され、サブキャリア検出器９５の出力９５ｅはダイバシティ制御部３７の入力３７ａに接続されている。
【００３０】
このダイバシティ制御部３７の出力３７ｂは、サブキャリア選択器１２７の入力１２７ｃに接続され、このサブキャリア選択器１２７の出力１２７ｄは、サブキャリア合成器９３の入力９３ｃに接続されている。
【００３１】
以上のように構成された高周波受信装置３１の動作について、図１を用いて説明する。
【００３２】
近年導入されたデジタル放送信号は、現存のアナログ放送信号に影響を与えることがないように、送信出力を小さくしている。このため、弱電界地区においては、高周波受信装置３１の受信感度が重要となる。
【００３３】
ここで、ダイバシティ受信とは、第１の高周波受信部３３、第２の高周波受信部３５を動作させるとともに、復調部４５、５９からそれぞれ出力される復調信号をダイバシティ部４７のサブキャリア合成器９３により合成して受信するものである。
【００３４】
また、シングル受信とは、第１の高周波受信部３３を動作させ、第２の高周波受信部３５を非動作とし、サブキャリア合成器９３では復調部４５からの復調信号のみを利用するものである。
【００３５】
このダイバシティ受信、シングル受信に応じた信号処理の切り替えは、ＢＥＲ判定器９９、１３１におけるＢＥＲ（ビットエラーレート）がある一定の基準以上の場合にシングル受信とし、ある一定の基準以下の場合にダイバシティ受信を選択することができる。
【００３６】
なお、ＢＥＲによる判定に代わって、ダイバシティ部４７の出力９５ｅから出力されるサブキャリア検出信号Ｃ／Ｎを用いて受信品質の検出を行ってもよい。
【００３７】
最初に、ダイバシティ受信について説明する。ダイバシティ制御部３７の出力端子３８からの電源電圧が、第１の高周波受信部３３、第２の高周波受信部３５に供給される。そして、チューナ部４３、５７に同じ選局データが送出されて受信動作が開始される。
【００３８】
そして、アンテナ３９から入力されたテレビ放送信号は、チューナ部４３の高周波増幅器７１により増幅され、混合器７３の一方の入力に供給される。
【００３９】
この混合器７３の他方の入力には発振器７４からの発振信号が供給されており、混合器７３からは中間周波信号が出力される。この中間周波信号は、中間周波フィルタ７５により妨害信号が抑圧される。
【００４０】
この中間周波信号は、Ａ／Ｄコンバータ８３によりアナログ信号からデジタル信号に変換される。このデジタル信号は、復調器８５によりデジタル復調される。このデジタル復調信号は、ＦＦＴ８７により高速フーリエ変換された信号に変換され、出力端子８１から出力される。
【００４１】
同様に、アンテナ５３から入力されたテレビ放送信号は、チューナ部５７の高周波増幅器１０５により増幅され、混合器１０７の一方の入力に供給される。
【００４２】
この混合器１０７の他方の入力には発振器１０８からの発振信号が供給されており、混合器１０７からは中間周波信号が出力される。この中間周波信号は、中間周波フィルタ１０９により妨害信号が抑圧される。
【００４３】
この中間周波信号は、Ａ／Ｄコンバータ１１７によりアナログ信号からデジタル信号に変換される。このデジタル信号は、復調器１１９によりデジタル復調される。このデジタル復調信号は、ＦＦＴ１２１により高速フーリエ変換された復調信号に変換され、出力端子１１５から出力される。
【００４４】
これら出力端子８１、１１５から出力される復調信号は、ダイバシティ部４７、６１の入力端子８９、１２３にそれぞれ入力される。
【００４５】
このダイバシティ部４７では、サブキャリア検出器９５において復調部４５、５９から出力される２つの復調信号に含まれるサブキャリアの信号品質が検出される。この検出された信号品質情報に基づいて、それぞれのサブキャリアに対する重み付け係数が算出される。この重み付け係数は、サブキャリア検出器９５の出力９５ｄからサブキャリア合成器９３の入力９３ｂに入力される。
【００４６】
このサブキャリア合成器９３において、重み付け係数が乗算されることによって合成されたサブキャリア合成信号が出力端子９１から出力される。このように合成された信号は、重み付け係数によってＣ／Ｎが最大で２倍改善される。
【００４７】
このサブキャリア合成信号は、誤り訂正部４９に入力される。この誤り訂正部４９から出力される誤り訂正されたＴＳ（トランスポートストリーム）信号は、出力端子５１から出力される。
【００４８】
このＴＳ信号は、Ｃ／Ｎが最大で２倍改善された誤り訂正された信号とできるので、受信品質が改善される。
【００４９】
次に、ダイバシティ制御部３７の制御により、ダイバシティ受信からシングル受信とした場合について説明する。
【００５０】
このシングル受信では、例えば、第１の高周波受信部３３を動作状態とし、第２の高周波受信部３５を非動作状態として説明する。  
【００５１】
これにより、ダイバシティ部４７の入力端子８９には復調部４５からの復調信号が入力され、ダイバシティ部６１の入力端子１２３には、復調部５９からの復調信号が入力されない。
【００５２】
このダイバシティ部４７の出力端子９１から出力される復調信号は、誤り訂正部４９に入力され、この誤り訂正されたＴＳ信号は出力端子５１から出力される。
【００５３】
このようにして、ＢＥＲ判定器９９、１３１におけるＢＥＲ（ビットエラーレート）、あるいはサブキャリア検出器９５から出力されるサブキャリア検出信号Ｃ／Ｎを用いて受信品質の判定を行う。この受信品質の判定がある一定の基準以上の場合にシングル受信とし、ある一定の基準以下の場合にダイバシティ受信を選択することができる。
【００５４】
なお、シングル受信時に第１の高周波受信部３３を用いたが、ダイバシティ部６１にサブキャリア検出器６２（図示せず）を内蔵する場合には、第２の高周波受信部３５をシングル受信時に用いてもよい。
【００５５】
ここで、重要なことは、ダイバシティ受信の可能な高周波受信装置３１において、アンテナ３９、５３、チューナ部４３、５７、復調部４５、５９、ダイバシティ部４７、６１間の信号のやり取りと、互いの配置の関係である。
【００５６】
図２は、高周波受信装置３１を搭載した携帯用機器２０１の透視図である。  この図２において、携帯用機器２０１は、端面２０２を介して開閉自在なケース２０３とケース２０５から構成されている。
【００５７】
このケース２０３の開閉面には、表示部２０７が設けられ、ケース２０５には、アンテナ３９、５３、第１の高周波受信部３３、第２の高周波受信部３５、携帯電話用アンテナ２０９が配置されている。
【００５８】
このアンテナ３９、５３は、ケース２０５の長手方向の端面に互いに離して配置している。これは、アンテナ３９、５３の距離をできるだけ離して配置することによりダイバシティ受信時の受信感度を改善することができる。
【００５９】
また、アンテナ３９の給電点３９ａに近接して第１の高周波受信部３３を配置している。これにより、アンテナ３９の給電点３９ａとチューナ部４３との接続部を短くできるので、引き回しによる伝送損失の劣化を防止できる。
【００６０】
同様に、アンテナ５３の給電点５３ａに近接して第２の高周波受信部３５を配置している。これにより、アンテナ５３の給電点５３ａとチューナ部５７との接続部を短くできるので、引き回しによる伝送損失の劣化を防止できる。
【００６１】
特に、アンテナ３９、５３からの高周波信号は周波数が高いため引き回しによる伝送損失が大きくなりやすいが、アンテナ３９とチューナ部４３との引き回しによる伝送損失、あるいはアンテナ５３とチューナ部５７との引き回しによる伝送損失を小さくできるので受信感度の劣化を防止することができる。
【００６２】
また、アンテナ５３に近接して携帯電話用アンテナ２０９を配置しているが、携帯電話の使用時には、テレビ信号の受信品質が劣化する場合が発生する。これを防止するためには、シングル受信時に用いるアンテナ３９および第１の高周波受信部３３を携帯電話用アンテナ２０９から離して配置するとよい。
【００６３】
さらに、チューナ部４３、５７から出力される中間周波信号は、１セグメント受信では約５６０ＫＨｚ、フルセグメント受信では約６ＭＨｚの周波数となるので、チューナ部４３とＡ／Ｄコンバータ８３の間、あるいはチューナ部５７とＡ／Ｄコンバータ１１７の間では引き回しによる伝送損失の劣化が発生しやすい。
【００６４】
このＡ／Ｄコンバータ８３、１１７は、良好な受信特性を得るために一般的に入力できる上限電圧、下限電圧が小さく、最適な電圧を供給することが重要となる。
【００６５】
このためには、チューナ部４３、復調部４５を一体としたチューナモジュール４６、チューナ部５７、復調部５９を一体としたチューナモジュール６０とし、図２において第１の高周波受信部３３に代わってチューナモジュール４６を設け、第２の高周波受信部３５に代わってチューナモジュール６０を設けてもよい。
【００６６】
これにより、アンテナ３９の給電点３９ａに近接してチューナ部４３を配置できる。さらに、チューナ部４３と復調部４５との接続部の長さを一定とできる。
【００６７】
同様に、アンテナ５３の給電点５３ａに近接してチューナ部５７を配置できる。さらに、チューナ部５７と復調部５９との接続部の長さを一定とできる。
【００６８】
なお、本実施の形態では、携帯用機器２０１として、開閉自在な形状について説明したが、例えば第１のケースと第２のケースが、互いに可動できるとともに互いの対向面を有する形状であっても同様である。
【００６９】
以上のように、少なくとも、第１のチューナ部と、第１の復調部を一体化する第１のチューナモジュールを設け、少なくとも、第２のチューナ部と、第２の復調部を一体化する第２のチューナモジュールを設け、前記第１、第２のチューナ部を第１、第２のアンテナにそれぞれ近接して配置できる。
【００７０】
これにより、アンテナとチューナ部との引き回しによる伝送損失、およびチューナ部と復調部との引き回しによる伝送損失を小さくできるので、受信品質の改善を行うことができる。
【００７１】
なお、第１のチューナ部の主要部と、第１の復調部の主要部を集積化し、少なくとも、第２のチューナ部の主要部と、第２の復調部の主要部を集積化してもよい。これにより、第１のチューナ部と第１の復調部、および第２のチューナ部と第２の復調部との引き回しによる伝送損失を小さくできる。
【００７２】
この第１、第２のチューナ部の主要部は、少なくとも混合器、発振器を含み、第１、第２の復調部の主要部は、少なくともＡ／Ｄコンバータ、復調器、ＦＦＴを含むことができる。
【産業上の利用可能性】
【００７３】
本発明の高周波受信部は、アンテナとチューナ部との引き回しによる伝送損失、およびチューナ部と復調部との引き回しによる伝送損失を小さくできるので、小型化サイズとした携帯用機器に適用することができる。
【符号の説明】
【００７４】
３３  高周波受信部
３５  高周波受信部
４１  入力端子
４３  チューナ部
４５  復調部
４６  チューナモジュール
４７  ダイバシティ部
４９  誤り訂正部
５１  出力端子
５５  入力端子  
５７  チューナ部
５９  復調部
６０  チューナモジュール
６１  ダイバシティ部
６３  誤り訂正部
６５  出力端子
【図１】
2010278940.tif 000003
【図２】
2010278940.tif 000004
【図３】
2010278940.tif 000005